(57)【要約】【課題】色温度が異なる隣り合う発光部を複数組配置したとしても、配線のレイアウトをできるだけ単純化することができる技術を提供する。【解決手段】発光モジュール１は、基板１０と、基板１０上に並設され、各々が長尺状をした８本の発光部１３と、基板１０上に設けられた第１電極１１および第２電極１２と、を備える。各発光部１３ａ、１３ｂは、それぞれ電気的に直列接続された１０個のＬＥＤ１４ａ、１４ｂを含む。８本の発光部１３には、第１電極１１および第２電極１２に互いのＬＥＤ１４ａ、１４ｂが逆並列に接続され、互いに色温度が異なる隣り合う発光部１３ａ、１３ｂの組が複数含まれる。【選択図】図１
2014143307.tif 000002
【特許請求の範囲】
【請求項１】
基板と、
前記基板上に並設され、各々が長尺状をした複数の発光部と、
前記基板上に設けられた第１電極および第２電極と、
を備え、
各発光部は、電気的に直列接続された複数の発光ダイオードを含み、
前記複数の発光部には、前記第１電極および第２電極に互いの発光ダイオードが逆並列に接続され、互いに色温度が異なる隣り合う発光部の組が複数含まれる、
ことを特徴とする発光モジュール。
【請求項２】
前記基板上の円形状の領域内に、前記各発光部が、互いの長手方向が沿うように並設されている、
ことを特徴とする請求項１に記載の発光モジュール。
【請求項３】
前記各発光部の並設方向における最も外側の発光部の長手方向の長さは、それ以外の発光部の長手方向の長さよりも短く、
前記最も外側の発光部の発光ダイオードと当該発光部に隣り合う発光部の発光ダイオードとは前記第１電極および第２電極に直列に接続され、前記最も外側の発光部の色温度と当該発光部に隣り合う発光部の色温度とが同じである、
ことを特徴とする請求項２に記載の発光モジュール。
【請求項４】
前記複数の発光部のうち、隣り合う発光部の全てが、前記第１電極および第２電極に逆並列に接続され、互いに色温度が異なり、
前記各発光部の並設方向における最も外側の発光部の長手方向の長さは、それ以外の発光部の長手方向の長さよりも短く、
前記最も外側の発光部における発光ダイオードに、少なくとも１つの抵抗素子が電気的に直列に接続されている、
ことを特徴とする請求項２に記載の発光モジュール。
【請求項５】
前記複数の発光部のうち、隣り合う発光部の全てが、前記第１電極および第２電極に逆並列に接続され、互いに色温度が異なり、
前記各発光部の並設方向において、最も外側の発光部の長手方向の長さは、それ以外の発光部の長手方向の長さよりも短く、
前記各発光部の並設方向において、最も外側の発光部において隣り合う発光ダイオードの間のピッチは、それ以外の発光部における隣り合う発光ダイオードのピッチよりも狭い、
ことを特徴とする請求項２に記載の発光モジュール。
【請求項６】
前記各発光部は、さらに、前記複数の発光ダイオードを共通に封止する波長変換部材を含み、
各波長変換部材をその長手方向と垂直な面で切断して現れる切断面において、当該各波長変換部材の上面は、凸形状となっている、
ことを特徴とする請求項１に記載の発光モジュール。
【請求項７】
前記基板上の円形状の領域内に、前記複数の発光部が、円の中心点から放射状になるように配置されている、
ことを特徴とする請求項１に記載の発光モジュール。
【請求項８】
前記基板に垂直な方向から平面視すると、前記各発光部は、環状に形成され、
前記基板上に、前記複数の発光部は、同心状に配置されている、
ことを特徴とする請求項１に記載の発光モジュール。
【請求項９】
発光モジュールと、
前記発光モジュールを発光させるための点灯回路と、
を備えた照明装置であって、
前記発光モジュールは、
基板と、
前記基板上に並設され、各々が長尺状をした複数の発光部と、
前記基板上に設けられた第１電極および第２電極と、
を備え、
各発光部は、電気的に直列接続された複数の発光ダイオードを含み、
前記複数の発光部には、第１電極および第２電極に逆並列に接続され、互いに色温度が異なる隣り合う発光部の組が複数含まれ、
前記点灯回路は、
前記第１電極および第２電極に電気的に接続された交流電源
を備える、
ことを特徴とする照明装置。
【請求項１０】
前記点灯回路は、
前記交流電源と前記第１電極および第２電極との間の電流経路上に介挿され、前記交流電源が出力する交流電流の正の半周期と負の半周期との最大値をそれぞれ個別に変化させる調色回路
を備える、
ことを特徴とする請求項９に記載の照明装置。
【請求項１１】
前記調色回路は、
直流電圧源を含むピーククリップ回路と、
前記ピーククリップ回路の直流電圧源の出力電圧を制御する制御回路と、
を備える、
ことを特徴とする請求項１０に記載の照明装置。
【発明の詳細な説明】
【技術分野】
【０００１】
本発明は、発光モジュールおよび照明装置に関し、特に出射光の輝度および色温度を調整する技術に関する。
【背景技術】
【０００２】
近年、発光ダイオードを光源とし、調色および調光が可能な照明装置が提案されている。特許文献１は、このような照明装置に内蔵される発光モジュールを開示している。図２０は、特許文献１における発光モジュールを示す平面図である。図２０に示すように、発光モジュール９００は、基板９１０と、第１電極９１１ａ、第２電極９１１ｂ、および第３電極９１２と、発光部９１３ａ、９１３ｂとを備える。発光部９１３ａは、複数の発光ダイオード９１４ａと、これら発光ダイオード９１４ａを共通に封止する波長変換部材９１５ａとを含む。発光部９１３ｂも同様に、複数の発光ダイオード９１４ｂと、これら発光ダイオード９１４ｂを共通に封止する波長変換部材９１５ｂとを備える。発光ダイオード９１４ａ、９１４ｂは、青色発光ダイオードである。波長変換部材９１５ａは、青色光を赤色光に変換する赤色蛍光体を含む。これにより、発光部９１３ａは、青色光および赤色光の混色光を出射することができる。波長変換部材９１５ｂは、青色光を黄色光に変換する黄色蛍光体を含む。これにより、発光部９１３ｂは、疑似白色光を出射することができる。従って、発光モジュール９００からは、発光部９１３ａの青色光および赤色光の混色光と、発光部９１３ｂの疑似白色光とが混合された光が得られる。なお、発光部９１３ａ、９１３ｂの負極は、共通に第３電極９１２に接続されているのに対し、発光部９１３ａ、９１３ｂの正極は、それぞれ第１電極９１１ａおよび第２電極９１１ｂに別個に接続されている。例えば、発光部９１３ａに流れる直流電流の大きさと、発光部９１３ｂに流れる直流電流の大きさとの総量を変化させることにより、発光モジュール９００のトータルの出射光の輝度を調整することができる。また、発光部９１３ａに流れる直流電流の大きさと、発光部９１３ｂに流れる直流電源の大きさとの比率を変化させることにより、青色光および赤色光の混色光と、疑似白色光との混色比率を変化させることができる。その結果、発光モジュール９００の出射光の色温度を調整することができる。
【先行技術文献】
【特許文献】
【０００３】
【特許文献１】特開２０１２−００４５１９号公報
【発明の概要】
【発明が解決しようとする課題】
【０００４】
ところで、上記従来の発光モジュールでは、発光領域を２つに分割し、一方に青色光および赤色光の混色光を出射する発光部を配置し、他方に擬似白色光を出射する発光部を配置しただけなので、各発光部からの出射光が混ざりにくく、発光モジュールからの出射光に色むらが生じるおそれがある。これに対し、例えば、発光領域を３つに分割し、中央に青色光および赤色光の混色光を出射する発光部を配置し、両側に擬似白色光を出射する発光部を配置することが考えられる。あるいは、発光領域を４つ以上に分割し、青色光および赤色光の混色光を出射する発光部と、擬似白色光を出射する発光部とを交互に配置することが考えられる。即ち、色温度が異なる隣り合う発光部の組を複数設けることが考えられる。しかしながら、この場合、色温度が同じである発光部を共通の電極に接続しようとすると、配線のレイアウトが複雑になる。配線のレイアウトが複雑になると、配線抵抗が増大するなどの問題が生じることがある。
【０００５】
本発明は、色温度が異なる隣り合う発光部の組を複数配置したとしても、配線のレイアウトをできるだけ単純化することができる技術を提供することを目的とする。
【課題を解決するための手段】
【０００６】
上記の目的を達成するため、本発明の一態様に係る発光モジュールは、基板と、前記基板上に並設され、各々が長尺状をした複数の発光部と、前記基板上に設けられた第１電極および第２電極と、を備え、各発光部は、電気的に直列接続された複数の発光ダイオードを含み、前記複数の発光部には、前記第１電極および第２電極に互いの発光ダイオードが逆並列に接続され、互いに色温度が異なる隣り合う発光部の組が複数含まれる、ことを特徴とする。
【０００７】
また、前記発光モジュールにおいて、前記基板上の円形状の領域内に、前記各発光部が、互いの長手方向が沿うように並設されていてもよい。
また、前記発光モジュールにおいて、前記各発光部の並設方向における最も外側の発光部の長手方向の長さは、それ以外の発光部の長手方向の長さよりも短く、前記最も外側の発光部の発光ダイオードと当該発光部に隣り合う発光部の発光ダイオードとは前記第１電極および第２電極に直列に接続され、前記最も外側の発光部の色温度と当該発光部に隣り合う発光部の色温度とが同じであってもよい。
【０００８】
また、前記発光モジュールにおいて、前記複数の発光部のうち、隣り合う発光部の全てが、前記第１電極および第２電極に逆並列に接続され、互いに色温度が異なり、前記各発光部の並設方向における最も外側の発光部の長手方向の長さは、それ以外の発光部の長手方向の長さよりも短く、前記最も外側の発光部における発光ダイオードに、少なくとも１つの抵抗素子が電気的に直列に接続されていてもよい。
【０００９】
また、前記発光モジュールにおいて、前記複数の発光部のうち、隣り合う発光部の全てが、前記第１電極および第２電極に逆並列に接続され、互いに色温度が異なり、前記各発光部の並設方向において、最も外側の発光部の長手方向の長さは、それ以外の発光部の長手方向の長さよりも短く、前記各発光部の並設方向において、最も外側の発光部において隣り合う発光ダイオードの間のピッチは、それ以外の発光部における隣り合う発光ダイオードのピッチよりも狭くてもよい。
【００１０】
また、前記発光モジュールにおいて、前記各発光部は、さらに、前記複数の発光ダイオードを共通に封止する波長変換部材を含み、各波長変換部材をその長手方向と垂直な面で切断して現れる切断面において、当該各波長変換部材の上面は、凸形状となっていてもよい。
また、前記発光モジュールにおいて、前記基板上の円形状の領域内に、前記複数の発光部が、円の中心点から放射状になるように配置されていてもよい。
【００１１】
また、前記発光モジュールにおいて、前記基板に垂直な方向から平面視すると、前記各発光部は、環状に形成され、前記基板上に、前記複数の発光部は、同心状に配置されていてもよい。
さらに、本発明の一態様に係る照明装置は、発光モジュールと、前記発光モジュールを発光させるための点灯回路と、を備えた照明装置であって、前記発光モジュールは、基板と、前記基板上に並設され、各々が長尺状をした複数の発光部と、前記基板上に設けられた第１電極および第２電極と、を備え、各発光部は、電気的に直列接続された複数の発光ダイオードを含み、前記複数の発光部には、第１電極および第２電極に逆並列に接続され、互いに色温度が異なる隣り合う発光部の組が複数含まれ、前記点灯回路は、前記第１電極および第２電極に電気的に接続された交流電源を備える、ことを特徴とする。
【００１２】
また、前記照明装置において、前記点灯回路は、前記交流電源と前記第１電極および第２電極との間の電流経路上に介挿され、前記交流電源が出力する交流電流の正の半周期と負の半周期との最大値をそれぞれ個別に変化させる調色回路を備えてもよい。
また、前記照明装置において、前記調色回路は、直流電圧源を含むピーククリップ回路と、前記ピーククリップ回路の直流電圧源の出力電圧を制御する制御回路と、を備えてもよい。
【発明の効果】
【００１３】
上記本発明の一態様に係る発光モジュールでは、互いに色温度が異なる隣り合う発光部の組が複数ある。これにより、当該隣り合う発光部のうち片方の発光部からの出射光は、隣り合う色温度が異なる発光部からの出射光と混ざりやすい。そのため、発光モジュールからの出射光の色むらを抑制できる。
また、当該発光部の組では、隣り合う発光部が第１電極および第２電極に逆並列に接続されている。この構成では、発光モジュールを駆動するために、第１電極および第２電極に交流電流を供給することが考えられる。この場合、供給する交流電流の実効値を変化させることで、発光モジュールの出射光の輝度を調整することができる。また、供給する交流電流の正の半周期の実効値と負の半周期の実効値との比率を変化させることにより、発光モジュールの出射光の色温度を調整することができる。
【００１４】
なお、隣り合う発光部が第１電極および第２電極に逆並列に接続されている発光モジュールでは、交流電力を供給するための配線は、直流電流を供給するための配線よりも単純なレイアウトとなる。
このように、本発明によれば、色温度が異なる隣り合う発光部の組を複数配置したとしても、配線のレイアウトをできるだけ単純化することができる。
【図面の簡単な説明】
【００１５】
【図１】実施の形態１に係るＬＥＤモジュールの模式図である。
【図２】図１に示したＬＥＤモジュールの回路図である。
【図３】図１に示したＬＥＤモジュールに接続する点灯回路の回路図である。
【図４】（ａ）図３に示した点灯回路から出力される電圧波形図であり、（ｂ）（ａ）で示す電圧波形図に対応する電流波形図である。
【図５】（ａ）図３に示した点灯回路から出力される交流電流の正負の実効値比率を変化させるときの電圧波形図であり、（ｂ）（ａ）で示す電圧波形図に対応する電流波形図である。
【図６】（ａ）図３に示した点灯回路出力される交流電流の正負の実効値比率を変化させるときの電圧波形図であり、（ｂ）（ａ）で示す電圧波形図に対応する電流波形図である。
【図７】図１に示したＬＥＤモジュールを利用した照明装置である。
【図８】図７に示した照明装置におけるランプユニットの斜視図である。
【図９】図１に示したＬＥＤモジュールの変形例を示す模式図である。
【図１０】図１に示したＬＥＤモジュールの変形例を示す模式図である。
【図１１】図１に示したＬＥＤモジュールの変形例を示す模式図である。
【図１２】実施の形態２に係るＬＥＤモジュールの模式図である。
【図１３】実施の形態３に係るＬＥＤモジュールの模式図である。
【図１４】実施の形態４に係るＬＥＤモジュールの模式図である。
【図１５】実施の形態５に係るＬＥＤモジュールの模式図である。
【図１６】実施の形態６に係るＬＥＤモジュールの模式図である。
【図１７】実施の形態７に係るＬＥＤモジュールの模式図である。
【図１８】実施の形態８に係るＬＥＤモジュールの模式図である。
【図１９】図１８に示したＬＥＤモジュールの回路図である。
【図２０】従来の発光モジュールの平面図である。
【発明を実施するための形態】
【００１６】
＜＜実施の形態１＞＞
１．構成
本発明を実施するための実施の形態１を、図面を参照して詳細に説明する。
発明の実施の形態で使用している、材料、数値は好ましい例を例示しているだけであり、この形態に限定されることはない。また、本発明の技術的思想の範囲を逸脱しない範囲で、適宜変更は可能である。さらに、他の実施の形態との組み合わせは、矛盾が生じない範囲で可能である。
【００１７】
ここでは、半導体発光ダイオードとしてＬＥＤ（Ｌｉｇｈｔ  Ｅｍｉｔｔｉｎｇ  Ｄｉｏｄｅ）を利用する形態について説明する。なお、数値範囲を示す際に用いる符号「〜」は、その両端の数値を含む。
図１は、実施の形態１に係るＬＥＤモジュールの模式図である。図２は、当該ＬＥＤモジュールの回路図である。
【００１８】
図１に示すように、ＬＥＤモジュール１は、基板１０と、各々が長尺状をした複数（本実施の形態では８本）の発光部１３と、基板１０上に設けられた第１電極１１および第２電極１２と、を備える。
（基板）
基板１０は、例えば、セラミックスや熱伝導樹脂のような絶縁材料からなり、長方形の板状の部材である。基板１０の構成は、全体が絶縁材料からなる構成に限らず、絶縁層と金属層との多層構造の構成としてもよい。金属層は、例えば、アルミニウムで構成すればよい。また、基板１０は、正方形状の発光領域１０ａを有する。発光領域１０ａの一辺は、例えば、１３ｍｍ〜１５ｍｍである。
【００１９】
（第１電極および第２電極）
第１電極１１および第２電極１２は、例えば、金、銅のような導電性材料からなる部材である。第１電極１１および第２電極１２の端部からは発光領域１０ａに向かって、配線１１ａ、１２ａがそれぞれ延設されている。配線１１ａ、１２ａは、発光領域１０ａの手前で、発光部１３の数と同じ数に枝分かれしている。
【００２０】
（発光部）
基板１０上の発光領域１０ａには、８本の発光部１３が、互いの長手方向が平行になるように並設されている。発光部１３は、発光の色温度ごとに、発光部１３ａ、１３ｂに分けられる。色温度の異なる発光部１３ａ、１３ｂは、互いに隣り合って配置されている。発光部１３ａは、基板１０上に列状に配置された１０個のＬＥＤ１４ａと、これらＬＥＤ１４ａを共通に封止する長尺状の波長変換部材１５ａと、を含む。発光部１３ｂについても同様である。ＬＥＤ１４ａ、１４ｂは、例えば、青色ＬＥＤチップである。波長変換部材１５ａ、１５ｂは、透光性の樹脂材料に少なくとも１種類の蛍光体を混入したものからなる。透光性の樹脂材料としては、例えば、シリコーン樹脂を利用できる。蛍光体としては、例えば、緑色蛍光体および赤色蛍光体を混合したものや、黄色蛍光体を利用できる。本実施の形態では、波長変換部材１５ａ、１５ｂに含まれる蛍光体として、どちらも緑色蛍光体および赤色蛍光体を混入したものを用いる。この場合、発光部１３ａ、１３ｂの発光の色温度を異ならせるには、波長変換部材１５ａ、１５ｂに混入される緑色蛍光体に対する赤色蛍光体の比率を異ならせればよい。本実施の形態では、波長変換部材１５ａにおける赤色蛍光体の比率を低くし、波長変換部材１５ｂにおける赤色蛍光体の比率を高くしている。そのため、発光部１３ａの出射光の色温度がより高く、例えば、７０００Ｋ〜１８０００Ｋである。発光部１３ｂの出射光の色温度がより低く、例えば、２０００Ｋ〜５０００Ｋである。
【００２１】
各発光部１３ａ、１３ｂを製造するためには、まず、ＬＥＤ１４ａ、１４ｂをＣＯＢ（Ｃｈｉｐ  ｏｎ  Ｂｏａｒｄ）技術を用いて実装する。その後、波長変換部材１５ａ、１５ｂの材料をディスペンス塗布し、最後に硬化すればよい。これにより、波長変換部材１５ａ、１５ｂをその長手方向と垂直な面で切断して現れる切断面において、波長変換部材１５ａ、１５ｂの上面は、例えば、凸形状となる。この製造方法を用いれば、隣り合う発光部１３の間に隔壁層が存在しなくても、色温度の異なる発光部１３ａ、１３ｂを隣り合うように配置することができる。そして、この構成では、発光部１３からの出射光が隔壁層により遮られることがないため、隣り合う発光部１３ａ、１３ｂの出射光が混ざりやすい。また、この製造方法を用いれば、各発光部１３を同じ形状および大きさで製造することが容易である。各発光部１３が同じ形状および大きさであれば、出射光の出射角が等しくなるため、隣り合う発光部１３ａ、１３ｂの出射光は混ざりやすい。
【００２２】
以下、発光部１３の電気的接続について説明する。発光部１３ａにおいて、列状に配置されたＬＥＤ１４ａは、ワイヤにより互いに接続されている。また、発光部１３ａの一端（図面左側）に位置するＬＥＤ１４ａは、配線１１ａにワイヤにより接続されている。発光部１３ａの他端（図面右側）に位置するＬＥＤ１４ａは、配線１２ａにワイヤにより接続されている。発光部１３ｂについても同様である。図２の回路図に示すように、発光部１３ａと発光部１３ｂとは、第１電極１１および第２電極１２に電気的に逆並列に接続されている。具体的には、発光部１３ａの一端（図面左側）に位置するＬＥＤ１４ａのアノード電極が、第１電極１１に接続されている。また、発光部１３ａの他端（図面右側）に位置するＬＥＤ１４ａのカソード電極が、第２電極１２に接続されている。一方、発光部１３ｂの一端（図面左側）に位置するＬＥＤ１４ｂのカソード電極が、第１電極１１に接続されている。また、発光部１３ｂの他端（図面右側）に位置するＬＥＤ１４ｂのアノード電極が、第２電極１２に接続されている。
【００２３】
このように、発光部１３ａ、１３ｂが互いに逆並列に接続されるので、発光部１３に交流電流を供給すると、例えば、交流電流の正の半周期において、発光部１３ａが発光し、交流電流の負の半周期において、発光部１３ｂが発光する。交流電流の周波数は任意のものでよいが、例えば、５０ｋＨｚの周波数の交流電流である。交流電流を供給してＬＥＤモジュール１を駆動する場合、発光部１３ａ、１３ｂは、交互に点灯することになる。そのため、交流電流の周波数が高いほど、出射光のちらつきの抑制効果が高い。５０ｋＨｚの周波数の交流電流を用いた場合、ＬＥＤモジュール１の発光は、ユーザには発光部１３ａ、１３ｂの混合色に見え、出射光のちらつきを抑制できる。
【００２４】
本実施の形態では、発光領域１０ａに、互いに色温度が異なる発光部１３ａ、１３ｂがそれぞれ４本ずつ、互いに隣り合って配置されている。この構成により、発光部１３ａから出射される光の多くが、発光部１３ｂから出射される光と重なって見えることとなる。これにより、発光部１３ａからの出射光は、隣り合う発光部１３からの出射光と混ざりやすい。そのため、ＬＥＤモジュール１からの出射光の色むらを抑制できる。
【００２５】
さらに、発光部１３ａと発光部１３ｂとは、第１電極１１および第２電極１２に電気的に逆並列に接続されている。そのため、ＬＥＤモジュール１に供給する交流電流の実効値を変化させることで、ＬＥＤモジュール１の出射光の輝度を調整することができる。また、供給する交流電流の正の半周期の実効値と負の半周期の実効値との比率を変化させることにより、ＬＥＤモジュール１の出射光の色温度を調整することができる。
【００２６】
ところで、交流電流を供給する場合、発光部１３ａおよび発光部１３ｂの一端側に接続する電極（例えば、電極１１）と、発光部１３ａおよび発光部１３ｂの他端側に接続する電極（例えば、電極１２）との合計２つの電極に配線を接続すればよい。ＬＥＤモジュール１では、配線１１ａ、１２ａが発光領域１０ａの手前で、発光部１３の列の数と同じ数に枝分かれし、各発光部１３に接続されることで、ＬＥＤモジュール１に交流電流を供給できる。このように、交流電流を供給できるＬＥＤモジュール１では、直流電流を供給する場合よりも、配線１１ａ、１２ｂのレイアウトは単純である。一方、直流電流を供給する場合、発光部１３ａのアノードに接続する電極と、発光部１３ｂの発光部のアノードに接続する電極と、発光部１３ａおよび発光部１３ｂのカソードに接続する電極と、の合計３つの電極に配線を接続する必要がある。したがって、配線のレイアウトが複雑となってしまう。
【００２７】
以上のように、本実施の形態によれば、色温度が異なる隣り合う発光部１３ａ、１３ｂの組を複数配置したとしても、配線１１ａ、１２ａのレイアウトをできるだけ単純化することができる。
２．点灯回路の一例
以下、ＬＥＤモジュール１に交流電流を供給する点灯回路の一例について説明する。
【００２８】
（点灯回路の構成）
図３は、ＬＥＤモジュール１に接続する点灯回路の回路図である。
図３に示すように、点灯回路２４は、交流電源３１と、トランス３２と、調光回路３３と、調色回路３４と、制御部３６と、電源線に接続される外部端子３７、３８と、を備える。
【００２９】
交流電源３１は、商用電源から供給される交流電力から、例えば、５０ｋＨｚの高周波の交流電力を生成する高周波電源に相当する。
トランス３２は、交流電源３１から入力された交流電圧を降圧する。具体的には、トランス３２は、入力された交流電圧の振幅を、例えば、１００Ｖから６０Ｖにまで降圧する。
【００３０】
調光回路３３は、導通期間においてトランス３２から入力された交流電圧を調色回路３４へ出力し、非導通期間において当該入力された交流電圧を調色回路３４へと出力しない動作を行う。調光回路３３は、可変抵抗素子４１と、コンデンサ４２と、ダイアック素子４３と、トライアック素子４４と、を備える。可変抵抗素子４１の抵抗値は、制御部３６から出力される抵抗値信号により変化する。可変抵抗素子４１の抵抗値が大きくなるほど、調光回路３３の導通期間が小さくなる。すなわち、調光回路３３において、可変抵抗素子４１の抵抗値を変化させことで、導通期間と非導通期間との比率が変化する。これにより、調光回路３３から出力される交流電流の実効値が変化する。
【００３１】
調色回路３４は、入力された交流電流の正の半周期の実効値と負の半周期の実効値との比率を変化させて出力する、いわゆるピーククリップ回路である。調色回路３４は、ダイオード素子４５、４６と、可変直流電源４７、４８と、を備える。可変直流電源４７、４８が出力する直流電圧は、制御部３６から出力される電圧信号により変化する。可変直流電源４７が出力する直流電圧が変化すると、調色回路３４から出力される交流電流の正の半周期の最大値が変化する。可変直流電源４７の直流電圧の絶対値が大きくなるほど、調色回路３４から出力される交流電流の正の半周期の最大値が大きくなる。また、可変直流電源４８が出力する直流電圧が変化すると、調色回路３４から出力される交流電源の負の半周期の実効値が変化する。可変直流電源４８の直流電圧の絶対値が大きくなるほど、調色回路３４から出力される交流電流の負の半周期の最大値が大きくなる。このように、可変直流電源４７、４８が出力する直流電圧を変化することで、調色回路３４から出力される交流電流の正負の実効値の比率を変化できる。なお、実際には、可変直流電源４７、４８から出力される直流電圧は、交流電源３１から出力される交流電圧を、整流平滑して得られる直流電圧である。ここでは、簡便化のために、可変直流電源４７、４８を用いて説明している。
【００３２】
コントローラー３５は、例えば、ユーザがＬＥＤモジュール１の出射光の明るさおよび色温度を調整できる機能を有するリモコンである。コントローラー３５は、ユーザからＬＥＤモジュール１の出射光の明るさを調整する指示を受け付けると、指示された明るさを示す明るさ制御信号を外部に送信する。また、コントローラー３５は、ユーザからＬＥＤモジュール１の出射光の色温度を調整する指示を受け付けると、指示された色温度を示す色温度制御信号を外部に送信する。
【００３３】
制御部３６は、コントローラー３５から明るさ制御信号を受信すると、明るさ制御信号に基づいて調光回路３３の可変抵抗素子４１の抵抗値を調整する。また、制御部３６は、コントローラー３５から色温度調整信号を受信すると、色温度調整信号に基づいて調色回路３４の可変直流電源４７、４８の出力電圧を調整する。
外部端子３７、３８は、ＬＥＤモジュール１の電極１１、１２にそれぞれ接続される。
【００３４】
（調光動作）
ＬＥＤモジュール１を調光するためには、以下のように、調光回路３３から出力される交流電流の実効値を調整する。
まず、調光回路３３の基本動作について説明する。トランス３２の二次コイルから出力された交流電流の正の半周期では、コンデンサ４２に電荷を蓄積する。コンデンサ４２がフル充電されると、ダイアック素子４３が導通状態となり、トライアック素子４４のゲートに電流が流れる。これにより、トライアック素子４４が導通状態となり、Ａ地点からＢ地点に向かって電流が流れる。一方、トランス３２の二次コイルから出力された交流電流の負の半周期では、交流電流の正の半周期において充電されたコンデンサ４２が放電され、ダイアック素子４３が導通状態となり、トライアック素子４４のゲートに電流が流れる。これにより、トライアック素子４４が導通状態となり、Ｂ地点からＡ地点に向かって電流が流れる。
【００３５】
ここで、可変抵抗素子４１の抵抗値が変化すると、コンデンサ４２がフル充電されるまでの時間が変化する。トランス３２の二次コイルから出力された交流電流の正の半周期の開始時からコンデンサ４２がフル充電されるまでの時間が、調光回路３３の非導通期間となる。調光回路３３から出力される交流電圧波形は図４（ａ）である。このように、調光回路３３は、非導通期間Ｔ１と導通期間Ｔ２とを有する交流電圧を出力できる。当該交流電圧波形に対応する電流波形は、図４（ｂ）である。図中における実線が交流電流波形を示し、破線が交流電圧波形を示す。なお、図４の波形図は、どちらも模式的な波形を示すものである。
【００３６】
非導通期間Ｔ１の導通期間Ｔ２に対する比率が大きくなると、調光回路３３から出力される交流電流の実効値が小さくなり、ＬＥＤモジュール１の出射光の輝度が小さくなる。一方、非導通期間Ｔ１の導通期間Ｔ２に対する比率が小さくなると、調光回路３３から出力される交流電流の実効値が大きくなり、ＬＥＤモジュール１の出射光の輝度が大きくなる。
【００３７】
（調色動作）
ＬＥＤモジュール１を調色するためには、以下のように、調色回路３４から出力される交流電流の正の半周期の実効値と負の半周期の実効値との比率を調整する。
可変直流電源４７、４８が出力する直流電圧がそれぞれＶ１、Ｖ２である場合には、調色回路３４から出力される交流電圧は、図５（ａ）に示すような電圧波形となる。また、調色回路３４から出力される交流電流は、図５（ｂ）に示すような正の半周期において最大値をＩ１とし負の半周期において最大値をＩ２とする波形となる。図中における実線が交流電流波形を示し、破線が交流電圧波形を示す。なお、図５の波形図は、図４と同様にどちらも模式的な波形を示すものである。Ｖ１＝Ｖ２のときには、Ｉ１＝Ｉ２となるため、発光部１３ａおよび発光部１３ｂの出射光の割合は等しくなる。Ｖ１＞Ｖ２のときには、Ｉ１＞Ｉ２となるため、発光部１３ａの出射光が、発光部１３ｂの出射光よりも大きくなる。本実施の形態では、発光部１３ａの色温度が発光部１３ｂの色温度よりも高いため、ＬＥＤモジュール１の出射光の色温度が高くなる。Ｖ１＜Ｖ２のときには、Ｉ１＜Ｉ２となるため、発光部１３ａの出射光が、発光部１３ｂの出射光よりも小さくなる。そのため、ＬＥＤモジュール１の出射光の色温度が低くなる。例えば、図６（ａ）は、Ｖ１＜Ｖ２の場合の電圧波形を示す。この例では、可変直流電源４７の直流電圧Ｖ１は、ゼロよりも大きく、トランス３２から出力された交流電圧の振幅よりも小さい。また、可変直流電源４８の直流電圧Ｖ２は、トランス３２から出力された交流電圧の振幅と同じである。このとき、調色回路３４から出力される交流電流は、図６（ｂ）に示すような正の半周期において最大値をＩ１とし、負の半周期において最大値をＩ２とする波形となる。図中における実線が交流電流波形を示し、破線が交流電圧波形を示す。Ｖ１、Ｖ２は、例えば、２０Ｖ〜６０Ｖ程度とすることが考えられる。なお、図６の波形図は、図４、図５と同様にどちらも模式的な波形を示すものである。
【００３８】
なお、調色回路３４により調光を行うと、Ｃ地点の交流電流の実効値は、Ｂ地点の交流電流の実効値よりも小さくなる。そのため、制御部３６は、調色回路３４により小さくなる分を考慮して、調光回路３３で出力する交流電流を調整している。
３．利用例
以下、ＬＥＤモジュール１の利用例として、ＬＥＤモジュール１を用いた照明装置について説明する。図７は、ＬＥＤモジュール１を利用した照明装置である。図８は、当該照明装置におけるランプユニットの斜視図である。
【００３９】
（全体構成）
図７に示すように、発光装置２０は、天井２２に埋め込むように取り付けられるダウンライトである。発光装置２０は、器具２３と、点灯回路２４と、ランプユニット２６と、を備える。
器具２３は、金属製であって、ランプ収容部２３ａと、回路収容部２３ｂと、外鍔部２３ｃと、を有する。ランプ収容部２３ａは、有底円筒状であって、内部にランプユニット２６が着脱自在に取り付けられる。回路収容部２３ｂは、ランプ収容部２３ａの底側に延設されており、内部に点灯回路２４が収容されている。外鍔部２３ｃは、円環状であって、ランプ収容部２３ａの開口部から外方へ向けて延設されている。
【００４０】
器具２３は、ランプ収容部２３ａおよび回路収容部２３ｂが、天井２２に貫設された埋込穴２２ａに埋め込まれる。また、器具２３の天井２２への取り付けは、外鍔部２３ｃが天井２２の下面２２ｂにおける埋込穴２２ａの周部に当接された状態でなされる。
点灯回路２４は、ＬＥＤモジュール１を発光させるための回路である。また、点灯回路２４には、ランプユニット２６と電気的に接続される電源線２４ａが接続されている。電源線２４ａの先端には、ランプユニット２６のリード線２８のコネクタ２９と着脱自在に接続されるコネクタ２４ｂが取り付けられている。
【００４１】
（ランプユニットの構成）
図８に示すように、ランプユニット２６は、光源としてＬＥＤモジュール１を内蔵する。また、ランプユニット２６は、ベース２６ａと、カバー２６ｂと、カバー押え部材２６ｃと、配線部材２７を備える。
ベース２６ａは、アルミニウムからなる円板状の部材である。また、ベース２６ａの上面側の中央には、ＬＥＤモジュール１が搭載されている。カバー２６ｂは、シリコーン樹脂、アクリル樹脂、ガラス等の透光性材料からなり、ドーム状になっている。また、ＬＥＤモジュール１から出射された光は、カバー２６ｂを透過してランプユニット２６の外部へ取り出される。カバー押え部材２６ｃは、アルミニウム等の金属や白色不透明の樹脂のような非透光性材料からなり、ＬＥＤモジュール１から出射される光を妨げないような円環板状になっている。配線部材２７は、ＬＥＤモジュール１と電気的に接続された一組のリード線２８を有している。リード線２８は、ランプユニット２６の外部へ導出され、その端部にコネクタ２９が取り付けられている。
【００４２】
４．変形例
ところで、上述したＬＥＤモジュールでは、発光領域が正方形状である。しかしながら、発光領域の形状は、例えば、円形状であってもよい。これに対する変形例について、以下で記載する。
図９〜図１１は、図１に示したＬＥＤモジュールの変形例を示す模式図である。図９〜図１１に示すＬＥＤモジュールでは、発光領域は円形状である。発光領域の直径は、例えば、１３ｍｍ〜１５ｍｍである。発光領域が円形状であるため、発光部の長手方向の長さは、発光領域の中央側の発光部から外側の発光部に向かって短くなる。そのため、各発光部の並設方向において、最も外側の発光部の長手方向の長さは、それ以外の発光部の長手方向の長さよりも短い。このように、発光領域が円形状であると、当該最も外側の発光部において、１０個のＬＥＤを実装できないことがある。少数のＬＥＤが直列接続された当該最も外側の発光部に、１０個のＬＥＤが直列接続された他の発光部と同じ大きさの交流電流を流すと、当該最も外側の発光部のＬＥＤに大きな交流電流が流れてしまい、これらＬＥＤが破損するおそれがある。以下の変形例は、この問題への対策を講じたものである。
【００４３】
図９に示すように、ＬＥＤモジュール１００では、発光領域１１０ａ内の発光部１１３の並設方向において、最も外側に配置された発光部１１３ａ１と、発光部１１３ａ１に隣り合う発光部１１３ａ２とは、配線を介して直列に接続され、互いに色温度が同じである。また、最も外側の発光部１１３ｂ１と、発光部１１３ｂ１に隣り合う発光部１１３ｂ２とについても同様である。発光部１１３ａ１、発光部１１３ｂ１には、それぞれ３個ずつＬＥＤ１４ａ、ＬＥＤ１４ｂが含まれている。発光部１１３ａ２、発光部１１３ｂ２には、それぞれ７個ずつＬＥＤ１４ａ、ＬＥＤ１４ｂが含まれている。これにより、最も外側に配置された発光部１１３のＬＥＤにおいても、それ以外の発光部１１３のＬＥＤに印加される電圧と同じ電圧が印加される。そのため、最も外側の発光部１３に含まれるＬＥＤ１４ａ、１４ｂに、大きな交流電流が流れることを抑制できる。その結果、ＬＥＤ１４ａ、１４ｂが破損することを抑制できる。
【００４４】
また、図１０に示すように、発光領域１１０ａ内の発光部１３の並設方向において、最も外側の発光部２１３ａ、２１３ｂに含まれるＬＥＤ１４ａ、１４ｂの数はそれぞれ５個である。それ以外の発光部１３ａ、１３ｂに含まれるＬＥＤ１４ａ、１４ｂの数はそれぞれ１０個である。また、発光部２１３ａ、２１３ｂに含まれるＬＥＤ１４ａ、１４ｂに、それぞれ１つの抵抗素子２１６が電気的に直列に接続されている。抵抗素子２１６の抵抗値は、ＬＥＤ５個分の電圧を補償するものとする。ＬＥＤモジュール２００では、最も外側の発光部２１３ａ、２１３ｂにおいて、抵抗素子２１６にも交流電流が流れる。そのため、ＬＥＤ１４ａ、１４ｂに、大きな交流電流が流れることを抑制できる。その結果、ＬＥＤ１４ａ、１４ｂが破損することを抑制できる。なお、ＬＥＤモジュール２００では、抵抗素子２１６を発光部２１３ａ、２１３ｂ内に配置しているが、これに限らず、発光部２１３ａ、２１３ｂの外側に配置してもよい。これにより、発光部２１３ａ、２１３ｂの内に抵抗素子２１６を配置した場合に抵抗素子２１６の配置部分が暗くなってしまう、という問題を抑制できる。その結果、発光部２１３ａ、２１３ｂ内の出射光の輝度のばらつきをさらに抑制できる。
【００４５】
さらに、図１１に示すように、発光領域１１０ａ内の発光部３１３の並設方向において、最も外側に配置された発光部３１３ａ、３１３ｂに含まれる隣り合うＬＥＤ３１４ａ、３１４ｂの間のピッチは、その他の発光部１３ａ、１３ｂに含まれる隣り合うＬＥＤ１４ａ、１４ｂの間のピッチよりも狭い。加えて、ＬＥＤ３１４ａ、３１４ｂの図面横方向の幅は、ＬＥＤ１４ａ、１４ｂの図面横方向の幅よりも狭い。これにより、発光部３１３にそれぞれ含まれるＬＥＤ１４ａ、１４ｂ、３１４ａ、３１４ｂの個数を同じにできる。そのため、ＬＥＤ３１４ａ、３１４ｂに、大きな交流電圧が印加されることを抑制できる。その結果、ＬＥＤ３１４ａ、３１４ｂが破損することを抑制できる。
【００４６】
＜＜実施の形態２＞＞
実施の形態１では、正方形状の発光領域に、一方向に色温度の異なる発光部が互いに隣り合うように並設されていた。しかしながら、これに限らず、正方形状の発光領域に、例えば、二方向に色温度の異なる発光部が互いに隣り合うように並設してもよい。
図１２は、実施の形態２に係るＬＥＤモジュールの模式図である。
【００４７】
図１２に示すように、ＬＥＤモジュール４００は、正方形状の発光領域１０ａを発光部４１３の長手方向の直交方向に二分するような配線４１１ｃと、１６個の発光部４１３と、を備える。また、配線４１１ｃを挟んで、発光部４１３ａと発光部４１３ｂとが、隣り合うように配置されている。
ＬＥＤモジュール４００では、実施の形態１よりも、発光部４１３ａから出射される光の多くが、発光部４１３ｂから出射される光と重なって見えることとなる。これにより、発光部４１３ａのＬＥＤ１４ａからの出射光が、色温度が異なる発光部４１３ｂのＬＥＤ１４ｂからの出射光と混ざりやすい。そのため、さらに出射光の色むらを抑制したＬＥＤモジュール４００を提供できる。
【００４８】
＜＜実施の形態３＞＞
実施の形態１では、複数の発光部が、その長手方向が沿うように並設されていた。しかしながら、これに限らず、例えば、複数の発光部を放射状に配置してもよい。
図１３は、実施の形態３に係るＬＥＤモジュールの模式図である。
図１３に示すように、ＬＥＤモジュール５００において、発光部５１３は、円形状の発光領域１１０ａ内に、発光領域１１０ａの中心点から放射状になるように配置されている。すなわち、発光部５１３が１つの円環状に配置されている。第１電極１１から延びた配線５１１ａおよび第２電極１２から延びた配線５１２ａは、円環状に形成されている。基板１０には貫通孔１０ｂが設けられており、貫通孔１０ｂを介して第２電極１２と基板１０の裏面から引き回された給電用のリード線（不図示）とが接続される。ＬＥＤモジュール５００では、発光領域１１０ａにおいて全ての発光部５１３ａが、色温度が異なる発光部５１３ｂに隣り合っている。そのため、発光部５１３ａから出射される光の多くが、発光部５１３ｂから出射される光と重なって見えることとなる。これにより、発光部５１３ａからの出射光が、色温度が異なる発光部５１３ｂからの出射光と混ざりやすい。そのため、さらに出射光の色むらを抑制したＬＥＤモジュール５００を提供できる。
【００４９】
＜＜実施の形態４＞＞
実施の形態３では、発光部５１３を１つの円環状に配置した。しかしながら、これに限らず、例えば、発光部を２つの円環状に配置してもよい。
図１４は、実施の形態４に係るＬＥＤモジュールの模式図である。
図１４に示すように、ＬＥＤモジュール６００において、発光部６１３は、円形状の発光領域１１０ａ内に、発光領域１１０ａの中心点から放射状になるように配置されている。また、発光部６１３が２つの円環状に配置されている。第１電極６１１ａ、６１１ｂから延びた配線６１１ｃ、６１１ｄおよび第２電極６１２から延びた配線６１２ａは、円環状に形成されている。基板１０に設けられた貫通孔１０ｂを介して、第１電極６１１ｂと基板１０の裏面から引き回された給電用のリード線（不図示）とが接続される。ＬＥＤモジュール６００では、第１電極６１１ｂおよび第２電極６１２に交流電圧を印加することにより、内側の発光部６１３を発光させることができる。また、第１極６１１ａおよび第２電極６１２に交交流電圧を印加することにより、外側の発光部６１３を発光させることができる。このように、ＬＥＤモジュール６００の発光領域１０ａの内側と外側とを、個別に調光することができる。また、ＬＥＤモジュール６００の発光領域１０ａの内側のみを発光させる動作と、ＬＥＤモジュール６００の発光領域１０ａの全部を発光させる動作とを切り替えることも可能である。以上のように、ＬＥＤモジュール６００において、発光面積の大きさを変えることができる。
【００５０】
以下、実施の形態５〜７では、ＬＥＤモジュールにおける発光部の他の形状および配置について説明する。
＜＜実施の形態５＞＞
図１５は、実施の形態５に係るＬＥＤモジュールの模式図である。
図１５に示すように、各発光部７１３は、半円環状に形成されている。また、複数の発光部７１３は、基板１０上の円形状の発光領域１１０ａ内に、同心円状に配置されている。加えて、配線１１ａ、１２ａを挟んで、発光部７１３ａと発光部７１３ｂとが、隣り合うように配置されている。この構成であっても、色温度が異なる隣り合う発光部の組を複数配置しつつ、且つ、配線１１ａ、１２ａのパターニングが容易なＬＥＤモジュール７００を提供できる。
【００５１】
＜＜実施の形態６＞＞
図１６は、実施の形態６に係るＬＥＤモジュールの模式図である。
ＬＥＤモジュール８００では、配線１１ａ、１２ａに垂直であって、発光領域１１０ａを二分するように配線８１１ｃが設けられている。また、配線８１１ｃを挟んで、発光部８１３ａと発光部８１３ｂとが、隣り合うように配置されている。ＬＥＤモジュール８００では、配線８１１ｃ上において、発光部８１３ａからの出射光と発光部８１３ｂからの出射光が混ざる。これにより、ＬＥＤモジュール７００よりも、発光部８１３ａからの出射光が、発光部８１３ｂからの出射光と混ざりやすい。そのため、さらに出射光の色むらを抑制したＬＥＤモジュール８００を提供できる。
【００５２】
＜＜実施の形態７＞＞
図１７は、実施の形態７に係るＬＥＤモジュールの模式図である。
ＬＥＤモジュール１０００は、菱形状の発光領域１０１０ａを有する。発光部１０１３ａ、１０１３ｂは、長尺状に形成されている。また、複数の発光部１０１３は、基板１０上の発光領域１０１０ａ内に、同心状に配置されている。さらに、配線１１ａ、１２ａに垂直であって、発光領域１０ａを二分するように配線１０１１ｃが設けられている。加えて、配線１１ａ、１２ａおよび配線１０１１ｃを挟んで、発光部１０１３ａと発光部１０１３ｂとが、隣り合うように配置されている。このように、発光領域１０１０ａが菱形状であっても、色温度が異なる隣り合う発光部の組を複数配置しつつ、且つ、配線１１ａ、１２ａのパターニングが容易なＬＥＤモジュール１０００を提供できる。なお、発光領域は、正方形状、円形状、菱形状に限らず、楕円状、長方形状、その他多角形状であってもよい。
【００５３】
＜＜実施の形態８＞＞
上記実施の形態等では、色温度が２種類に異なる発光部を用いた。しかしながら、これに限らず、例えば、色温度が３種類に異なる発光部を用いてもよい。
図１８は、実施の形態８に係るＬＥＤモジュールの模式図である。実施の形態８は、発光の色温度が３種類に異なる発光部を用いる点以外は、実施の形態３と同一である。
【００５４】
ＬＥＤモジュール１１００において、発光部１１１３ａ、１１１３ｂ１、１１１３ｂ２の発光の色温度は異なる。ＬＥＤ１４ａ、１４ｂ、１１１４ｃは、例えば、青色ＬＥＤチップである。波長変換部材１５ａ、１５ｂ、１５ｃは、例えば、樹脂材料に緑色蛍光体および赤色蛍光体を混入したものからなり、各蛍光体の混合比が異なる。発光部１１１３ａの出射光の色温度はより高く、例えば、７０００Ｋ〜１８０００Ｋである。発光部１１１３ｂ１の出射光の色温度はより低く、例えば、３０００Ｋ〜５０００Ｋである。発光部１１１３ｂ１の出射光の色温度はさらに低く、例えば、２０００Ｋ〜３０００Ｋである。
【００５５】
ＬＥＤモジュール１１００の回路図は図１９である。図１９に示すように、隣り合う発光部１１１３ａと発光部１１１３ｂ１、１１３ｂ２とは、第１電極１１および第２電極１２に逆並列に接続されている。ＬＥＤモジュール１１００では、交流電流の正の半周期において、発光部１１１３ａのＬＥＤ１４ａが発光する。一方、交流電流の負の半周期において、発光部１１１３ｂのＬＥＤ１４ｂ、１１１４ｃが発光する。
【００５６】
このように、色温度が３色に異なる発光部を用いても、色温度が異なる隣り合う発光部の組を複数配置しつつ、且つ、配線１１ａ、１２ａのパターニングが容易なＬＥＤモジュール１１００を提供できる。
なお、発光部１１１３ｂの色温度を変化させたい場合には、抵抗素子をＬＥＤ１１１４ｃに電気的に直列に接続することが考えられる。当該抵抗素子の抵抗値を変化することにより、ＬＥＤ１１１４ｃに印加される交流電圧の大きさを変化できる。具体的には、発光部１１１３ｂの色温度は、発光部１１１３ｂ１および発光部１１１３ｂ２の混合したものであって、当該抵抗素子の抵抗値が大きいほど、発光部１１１３ｂ２の出射光の色温度の影響が小さくなる。
【００５７】
＜＜変形例＞＞
１．発光部の個数と配置
実施の形態１では、一辺が１３ｍｍ〜１５ｍｍの正方形状の発光領域に８個の長尺状の発光部を設けたがこれに限らない。例えば、直径が４０ｍｍの正方形状の発光領域に２０個の長尺状の発光部を設けてもよい。このように、所望の大きさの発光領域に、任意の個数の発光部を設けることができる。
【００５８】
２．発光部の構成
上記の実施の形態等では、ＬＥＤをＣＯＢ（Ｃｈｉｐ  ｏｎ  Ｂｏａｒｄ）技術を用いて実装し、さらに波長変換部材の材料をディスペンス塗布して発光部を形成する場合について説明したが、これに限らない。例えば、ＳＭＤ（Ｓｕｒｆａｃｅ  Ｍｏｕｎｔ  Ｄｅｖｉｃｅ）技術を用いたＬＥＤを利用したりしてもよい。
【００５９】
また、上記の実施の形態等では、ＬＥＤとしてＬＥＤを利用する形態について説明したが、ＬＥＤは、例えば、ＬＤ（レーザダイオード）やＥＬ素子（エレクトリックルミネッセンス素子、有機および無機を含む。）等であってもよい。また、これらを組合せて使用してもよい。
さらに、上記の実施の形態等では、ＬＥＤの発光色は青色であり、これを波長変換部材により赤色光および緑色光に変換した。ここで、ＬＥＤモジュールから昼白色や電球色を発光させる場合の蛍光体粒子は、他の組合せであってもよい。他の組み合わせの一例として、ＬＥＤとして紫外線光を出射するものを用い、蛍光体粒子として、赤色光へ変換する粒子、緑色光へ変換する粒子、青色光へ変換する粒子の３種類を用いることができる。なお、ＬＥＤ自体の発光色を青色、緑色など、他の色とした構成でもよい。
【符号の説明】
【００６０】
ＬＥＤモジュール      １
基板                  １０
発光領域              １０ａ
第１電極              １１
第２電極              １２
発光部                １３、１３ａ、１３ｂ
ＬＥＤ                １４ａ、１４ｂ
波長変換部材          １５ａ、１５ｂ
【図１】
2014143307.tif 000003
【図２】
2014143307.tif 000004
【図３】
2014143307.tif 000005
【図４】
2014143307.tif 000006
【図５】
2014143307.tif 000007
【図６】
2014143307.tif 000008
【図７】
2014143307.tif 000009
【図８】
2014143307.tif 000010
【図９】
2014143307.tif 000011
【図１０】
2014143307.tif 000012
【図１１】
2014143307.tif 000013
【図１２】
2014143307.tif 000014
【図１３】
2014143307.tif 000015
【図１４】
2014143307.tif 000016
【図１５】
2014143307.tif 000017
【図１６】
2014143307.tif 000018
【図１７】
2014143307.tif 000019
【図１８】
2014143307.tif 000020
【図１９】
2014143307.tif 000021
【図２０】
2014143307.tif 000022